(57)【特許請求の範囲】
【請求項１】
注出筒部を有し容器の口部に固定保持可能なベースと、このベースの注出筒部の内側に一体成形され破断予定溝に沿う引きちぎりによって注出開口を形成する密閉壁と、指先の挿通を可能とし該密閉壁に支柱を介して接続するプルリングとを備えた注出キャップであって、
前記プルリングの少なくとも支柱側の内周壁において、外表面が曲面にて形成された内向きに隆起する凸部を少なくともプルリングの内周壁の上端縁に設けたことを特徴とする中栓付きの注出キャップ。
【請求項２】
前記凸部は、プルリングの内周壁の下端縁から上端縁に至るまでの向き及び内周壁の周りに沿う向きの少なくとも一方において変化する肉厚分布を有する、請求項１記載の注出キャップ。
【請求項３】
注出筒部を有し容器の口部に固定保持可能なベースと、このベースの注出筒部の内側に一体成形され破断予定溝に沿う引きちぎりによって注出開口を形成する密閉壁と、指先の挿通を可能とし該密閉壁に支柱を介して接続するプルリングとを備えた注出キャップであって、
前記プルリングの少なくとも支柱側の内周壁において、外表面が曲面にて形成された内向きに隆起する凸部をプルリングの内周壁の上端縁にのみ設け、
前記凸部は、プルリングの内周壁の下端縁から上端縁に至るまでの向き及び内周壁の周りに沿う向きの少なくとも一方において変化する肉厚分布を有することを特徴とする中栓付きの注出キャップ。
【請求項４】
前記凸部は、内周壁に沿い間隔をおいて配列された複数の縦リブからなる、請求項１〜３の何れかに記載の注出キャップ。
【発明の詳細な説明】
【技術分野】
【０００１】
本発明は、プルリングを備えた注出キャップに関するものであり、密閉壁を引きちぎる際の指先背面におけるプルリングとの感触による違和感を回避しようとするものである。
【背景技術】
【０００２】
容器の口部の内側及び外側に位置する同心二重の周壁にて下向きに解放された環状溝を有し、この環状溝を容器の口部に嵌合、固定せしめる打栓形式になる注出キャップは、簡単な操作で確実に固定、密封できることから近年、醤油やソース、飲料等を入れる容器に多用されている。
【０００３】
この種のキャップは、不正な開封の防止を図る観点から注出筒部の内側には破断予定溝にて区画された密閉壁が設けられており、支柱を通してつながるプルリングを引っ張り該密閉壁を引きちぎることで注出開口を形成するようになっているのが普通である（例えば特許文献１参照）が、従来のプルリングは、注出キャップの成形過程でその内周壁の上下の縁部にエッジが形成されやすいために、指先を差し入れて密閉壁を引きちぎる際に該エッジが指先背面に接触して違和感をおぼえる不具合があった。
【特許文献１】特開２００７−２３０６２１号公報
【発明の開示】
【発明が解決しようとする課題】
【０００４】
本発明の課題は、プルリングに指を差し入れた際の指先背面における違和感を解消できる新規な注出キャップを提案するところにある。
【課題を解決するための手段】
【０００５】
本発明は、注出筒部を有し容器の口部に固定保持可能なベースと、このベースの注出筒部の内側に一体成形され破断予定溝に沿う引きちぎりによって注出開口を形成する密閉壁と、指先の挿通を可能とし該密閉壁に支柱を介して接続するプルリングとを備えた注出キャップであって、
前記プルリングの少なくとも支柱側の内周壁において、外表面が曲面にて形成された内向きに隆起する凸部を少なくともプルリングの内周壁の上端縁に設けたことを特徴とする中栓付きの注出キャップである。
【０００６】
上記の構成になる注出キャップに設けられる凸部については、プルリングの内周壁の下端縁から上端縁に至るまでの向き及び内周壁の周りに沿う向きの少なくとも一方において変化する肉厚分布を有するものとするのが好適である。
【０００７】
また、凸部は、内周壁に沿い間隔をおいて配列された複数の縦リブにて形成することができる。
【発明の効果】
【０００８】
プルリングに指先を差し入れる場合、指先の背面は通常、支柱側の内周壁に対応する部位に位置することになるので、少なくともその部位に外表面が曲面にて形成された内向きに隆起する凸部を設ける。このような凸部を設けるとソフトな当たりが得られエッジが接触するときのような違和感は皆無となる。
【発明を実施するための最良の形態】
【０００９】
以下、図面を用いて本発明をより具体的に説明する。
図１は本発明にしたがう合成樹脂からなる注出キャップの実施の形態を示した断面図であり、図２は図１の要部の外観斜視図である。
【００１０】
図中１は容器の口部、２は容器の口部１にアンダーカット（一方の部材に設けた凸部をもう一方の部材に設けた凹部に入り込ませて二部材を連係するもの）如き係合手段にて固定保持可能なベースである。このベース２は内筒２ａと外筒２ｂによって形成される下向きに開放された環状溝ｍを有しており、この環状溝ｍに容器の口部１を嵌合させて注出キャップを固定、保持する。また、ベース２の上面には環状周壁２ｃが設けられていて、その内側には容器内の内容物を注出するのに用いられる注出筒部２ｄが形成されている。
【００１１】
また、３は注出筒部２ｄの内側における上下のほぼ中間部に設けられた密閉壁である。この密閉壁３は破断除去部３ａと非破断除去部３ｂからなっている。密閉壁３は注出筒部２ｄと一体成形されており破断予定溝ｎに沿って破断除去部３ａを引きちぎることにより非破断除去部３ｂに注出開口が形成される。なお、密閉壁３は注出筒部２ｄの下端や中間位置に設けることができ、その上下位置（高さ位置）は適宜選択可能になっている。
【００１２】
４は密閉壁３の破断除去部３ａの縁部近傍に一体的に設けられた支柱、５は支柱４につながるプルリングである。このプルリング５は支柱４の上部において水平姿勢を維持するように保持する場合を例として示したが、該プルリング５は支柱４の上部において傾斜姿勢を維持するように保持することもできる。また、６は支柱４側の内周壁５ａに外表面が曲面にて形成された内向きに隆起（肉盛等）した凸部である。この凸部６は内周壁５ａの全周にわたって設けることもできる。７は環状周壁２ｃを取り囲む周壁７ａとこの周壁７ａの上部において一体連結する天面壁７ｂからなり、ベース２の環状周壁２ａに着脱自在にねじ係合する蓋体である。この蓋体７の天面壁７ｂの裏面にはそこから垂下して注出筒部２ｄに弾性接触するシール筒部７ｃが形成されている。
【００１３】
図３は上掲図１に示した注出キャップにつき、プルリング５に指先を差し入れた状況を示した図である。通常、プルリング５に指先を差し入れその引き上げにより密閉壁３を引きちぎろうとする場合、指先の背面は支柱側の内周面に接触することとなる。ところで前述したように従来の該プルリングは図４に示すような断面形状を有しており、プルリングの上端縁部に形成されるエッジｅが指先の背面に接触することとなるため違和感をおぼえるのは避けられない状況にあった。
【００１４】
本発明にしたがう注出キャップはプルリング５の少なくとも支柱側の内周面５ａに外表面が曲面にて形成された内向きに隆起する凸部６が設けられているため、指先背面での接触がソフトで従来のような違和感を生じることはない。
【００１５】
また、指先の背面に自然に接触するように凸部６の肉厚分布は隆起代をｔとしてプルリング５の内周壁５ａの下端縁から上端縁に向けて変化させることができる。本実施の形態では凸部６は断面が略半円形状となるように肉厚を変化させたものを例示している（図１参照）。
【００１６】
また、凸部６は図５（ａ）（ｂ）に示すようにプルリング５の内周壁５ａの上端縁にのみ設けることもでき、この場合もソフトな接触が得られる。
【００１７】
さらに、凸部６は図６（ａ）（ｂ）に示すようにプルリング５の内周壁５ａに沿い間隔をおいて配列した複数の縦リブ６′を用いて構成することもできる。
【００１８】
図７（ａ）〜（ｃ）は、プルリング５の少なくとも支柱側にリング本体そのものの寸法（高さ）Ｗを小さくして指先背面における接触面積の挟小化を図るべく狭窄域８を設けた例である。この場合も、前述した形態と同様に指先背面へのソフトな感触が得られる。
【００１９】
凸部６は、少なくとも指先背面が接触する個所に設けられていればよいが、プルリング５の内周壁５ａの全周あるいは所定の角度をもった範囲（リング５の中心を起点にして定まる角度範囲）に形成することもできる。
【産業上の利用可能性】
【００２０】
容器を開封する際に指先背面で違和感を生じることのないプルリング式注出キャップが適用できる。
【図面の簡単な説明】
【００２１】
【図１】本発明にしたがう注出キャップの実施の形態を示した断面図である。
【図２】図１示した注出キャップの要部の外観斜視図である。
【図３】プルリングと指先の関係を示した図である。
【図４】従来のプルリングの断面形状を示した図である。
【図５】本発明にしたがう注出キャップの他の実施の形態を示した図である。
【図６】本発明にしたがう注出キャップの他の実施の形態を示した図である。
【図７】（ａ）〜（ｃ）は本発明にしたがう注出キャップの他の実施の形態を示した図である。
【符号の説明】
【００２２】
１    容器の口部
２    ベース
２ａ  内筒
２ｂ  外筒
２ｃ  環状周壁
２ｄ  注出筒部
３    密閉壁
３ａ  破断除去部
３ｂ  非破断除去部
４    支柱
５    プルリング
５ａ  内周壁
６    凸部
７    蓋体
７ａ  周壁
７ｂ  天面壁
７ｃ  シール筒部
８    狭窄域
ｍ    環状溝
ｎ    破断予定溝
【図１】
0005154309.tif 000002
【図２】
0005154309.tif 000003
【図３】
0005154309.tif 000004
【図４】
0005154309.tif 000005
【図５】
0005154309.tif 000006
【図６】
0005154309.tif 000007
【図７】
0005154309.tif 000008